(57)【要約】本発明は、格闘技の練習及び競技をする時、足を保護するために着用する足保護具に関する。外皮は、開口部10と、足裏部Ａに設けられた足先用孔20及びかかと用孔30と、足指部Ｂに設けられた足指用孔45を有する足指着用部40と、足首部Ｃの端部に設けられた足首固定手段150とを有する。この足保護具は、足を保護するとともに、その弾力性により足に極めて良好に密着し、かつ軽量であるため、素足と同じような着用感が得られる。さらに、足裏の床面に当接する部分が露出しているため、床面に対して滑るのを防止しつつ、足指を自由に動かせるため、高度な瞬発力が得られる。【選択図】図６
2007528233.tif 000002
【特許請求の範囲】
【請求項１】
開口部10と、足裏部Ａに設けられた足先用孔20及びかかと用孔30と、足指部Ｂに設けられた足指用孔45を有する足指着用部40と、足首部Ｃの端部に設けられた足首固定手段150とを有する外皮100を有することを特徴とする格闘技用足保護具。
【請求項２】
外皮100は、切欠部46-1、46-2を有する上部外皮100-1と、足先用孔20及びかかと用孔30が形成された下部外皮100-2とが結合されてなることを特徴とする請求項１に記載の格闘技用足保護具。
【請求項３】
外皮100の足の甲部Ｄに足の甲の保護カバー200が固着していることを特徴とする請求項１に記載の格闘技用足保護具。
【請求項４】
外皮100の足首部Ｃに足首保護カバー400が固着していることを特徴とする請求項１に記載の格闘技用足保護具。
【請求項５】
足の甲の保護カバー200は外皮100の外面に固着し、外皮100と足の甲の保護カバー200との間に衝撃吸収用の緩衝層300が設けられていることを特徴とする請求項３に記載の格闘技用足保護具。
【請求項６】
足の甲の保護カバー200は足指部Ｂまで延びていることを特徴とする請求項３に記載の格闘技用足保護具。
【請求項７】
足の甲の保護カバー200は足指部Ｂ及び足首部Ｃまで延びていることを特徴とする請求項３に記載の格闘技用足保護具。
【請求項８】
足首保護カバー400は外皮100の外面に固着し、外皮100と足首保護カバー400との間に衝撃吸収用の緩衝層300が設けられていることを特徴とする請求項４に記載の格闘技用足保護具。
【請求項９】
足首保護カバー400は二層構造を有し、その層間に衝撃吸収用の緩衝層300が挿入されていることを特徴とする請求項４に記載の格闘技用足保護具。
【請求項１０】
足首保護カバー400は、外皮100の足首部Ｃに固着された結合部420と、外皮100に固着せずに結合部420から延びたフラップ部440とからなり、フラップ部440は足の甲と足首との間の部分を覆うことができることを特徴とする請求項４、８又は９に記載の格闘技用足保護具。
【請求項１１】
緩衝層300には空気孔310が形成されていることを特徴とする請求項５、８又は９に記載の格闘技用足保護具。
【請求項１２】
足首固定手段150は、足首部Ｃの端部に結合された弾性バンド152と、弾性バンド152の両面に設けられた締結手段154とから構成されることを特徴とする請求項１に記載の格闘技用足保護具。
【請求項１３】
締結手段154はマジックテープであることを特徴とする請求項12に記載の格闘技用足保護具。
【請求項１４】
足首部Ｃに切欠部60が設けられていることを特徴とする請求項12に記載の格闘技用足保護具。
【請求項１５】
足指着用部40の側面42は外皮100と異なる弾性材からなるので、側面42は外皮100より高弾力性であることを特徴とする請求項１に記載の格闘技用足保護具。
【発明の詳細な説明】
【技術分野】
【０００１】
本発明は、テコンドー等のような格闘技の練習及び競技をする時に足を保護するために着用する足の保護具に関し、特に外皮に弾力性を持たせるとともに足の一部を露出させることにより、素足状態と同様に足を自由に動かせ、かつ床に対して滑りがないようにし、もって高度の瞬発力を発揮できる格闘技用足保護具に関する。
【背景技術】
【０００２】
一般的に、キックボクシング、空手、功夫、柔道、合気道、テコンドー等のような格闘技は、大きく手技と足術に分けられる。特に蹴り技は相手を攻撃するのに有利であり、脅迫的な攻撃を加えることができる。そのため、蹴り技は著しく進歩し、また多くの練習量も要求される。
【０００３】
テコンドーのような上記格闘技の場合、体に道服や保護装備を着用するが、足には何も着用せず、素足で練習及び競技をするのが一般的である。靴下を着用すると滑るおそれがあり、また履き物を着用すると相手に傷を負わせるおそれがある。その上、靴下や履き物を着用すると好ましい姿勢を正確にとることができないため、素足で練習及び試合をするのが一般的である。しかし、素足であると負傷することが多い。
【０００４】
例えばテコンドーの蹴り技は、前蹴り、側蹴り及び後蹴りに大別できる。特に前蹴りのうち、足の甲で相手の側面を攻撃する前回し蹴りは、競技で最も多く使われる攻撃術である。前回し蹴り攻撃に対しては、相手は腕を伸ばす「受け」姿勢で防御するが、この防御過程で、前回し蹴りをした選手の足の甲が相手のひじ等にぶつかり、激しく腫れたり、打撲傷を負う等の負傷が多い。また相手の正面を攻撃する前蹴りや、相手の側面を足先又は足の甲で攻撃する前回し蹴り技では、足が相手の手や足にぶつかって、特に足指をくじく等の負傷が発生するおそれがある。このような負傷は、選手の練習量が多くなる大会前に発生することが多いので、大会出場を諦めたり、技量を十分に発揮できなかったりすることが多い。
【０００５】
選手の腕及び脚を保護する用具は数多く開発されているが、足の保護具はまだ開発されておらず、単に普通の履き物より軽いテコンドーシューズが利用されているだけである。このようなテコンドーシューズの例を図１に示す。図１に示すように、従来の足保護用のテコンドーシューズ１は、足を挿入する外皮２と、外皮２の底面に取り付けられたゴム製の靴底３と、外皮２の足の甲の部分に形成されたカバー４とから構成される。
【０００６】
テコンドーシューズ１に大きな衝撃が加えられた場合に選手の足の甲を十分に保護することができないという問題に鑑みて、大韓民国実用新案登録第20-0199704号は、図２に示すように、テコンドーシューズ１に取り付ける足の甲の保護具５を提案した。この足の甲の保護具５は、足の甲を保護するためにテコンドーシューズ１に取り付けられた緩衝体６と、緩衝体６の首部に連結され、緩衝体６を足首に固定するように足首を取り囲む広幅バンド７と、緩衝体６をテコンドーシューズ１に固定させる長いバンド８等から構成される。
【０００７】
しかし、図１に示す従来のテコンドーシューズ１、及びこのテコンドーシューズ１に取り付けられる図２に示す足の甲の保護具５は、着用者自身の足を保護することができるが、図示のように重く太いため、相手に負傷を負わせるおそれがあるという問題点があった。何よりも足の動き、特に足指の動きが自由でなく、高度の瞬発力を発揮することができないので、好ましい足の姿勢を正確にとることができないという問題点があった。
【発明の開示】
【発明が解決しようとする課題】
【０００８】
従って、本発明の目的は、装着者の足を保護して練習及び競技中に負傷するのを防止することができるとともに、素足と同様にできるだけ自由に足を動かせ、かつ床面に対して滑らない足の保護具を提供することである。
【０００９】
本発明の別の目的は、足にできるだけフィットするとともに、足裏のうち床面に接する部分及び足指を露出させることにより足の保護と同時に動きを自由にし、もって床面に対して滑らずに高度の瞬発力を発揮させることができる格闘技用足保護具を提供することである。
【００１０】
本発明のさらに別の目的は、大きい衝撃が加えられても選手の足の甲及び足首を保護することができる格闘技用足保護具を提供することである。
【課題を解決するための手段】
【００１１】
前記目的を達成するために、本発明は、開口部と、足裏部に形成された足先用孔及びかかと用孔と、足指部に形成された足指用孔を有する足指着用部と、足首部の端部に結合された固定手段とを有する外皮を有することを特徴とする格闘技用足保護具を提供する。
【００１２】
接地する足裏部は外皮の足先用孔及びかかと用孔から露出し、足指の先端部は足指用孔から露出する。足指着用部に挿入される足指は、自由に動けるように保護されている。外皮は、その弾力性及び足首部の固定手段により足に密着する。
【００１３】
本発明では、外皮に保護カバーを固着しても良い。保護カバーは、足の甲又は足首部に固着しても良く、また足の甲及び足首部の両方に固着しても良い。さらに、外皮と保護カバーとの間、又は保護カバーの層間に緩衝層を備えても良い。
【発明の効果】
【００１４】
本発明によれば、足保護具は、その弾力性により足に極めて密着し、かつ軽量であるために素足と同じような着用感が得られる。また足裏のうち床面に当接する部分が露出しているため、床面に対して滑るのを防止できる。足指が足指着用部に挿入されるため、足指を保護しつつ自由に動かすことができ、高度の瞬発力が得られる。
【００１５】
また保護カバー及び緩衝層は、大きな衝撃が加えられても、選手の足の甲と足首を十分に保護することができる。
【発明を実施するための最良の形態】
【００１６】
本発明を添付図面を参照して以下詳細に説明する。添付図面は、本発明を詳細に説明するためのものであり、本発明を限定するものではない。
【００１７】
図３は、本発明の第一の実施例による足保護具及びこれに対応する足裏を示す斜視図である。図４は、図３の足の保護具を足に装着した状態を示す使用状態図である。
【００１８】
図３及び図４に示すように、本発明の第一の実施例による足保護具は、弾力性のある外皮100を備えている。
【００１９】
外皮100は、足を挿入するための開口部10を有し、足首部Ｃの端部には、足首固定手段150が設けられている。外皮100の材料は特に限定されないが、足に極めて良好に密着するために、弾力性を有するものを用いることができる。例えば、弾力性のある織布又は不織布が挙げられ、特にスパンデックス等のように弾力性のある繊維を用いることができる。また図３に示すような形状に加工した不織布に弾力性を付与したもの、又は通常の足指靴下を使用することもできる。さらに、汗をよく吸収できるように、吸水力の高い材質が好ましい。
【００２０】
外皮100は、弾力性のある織布又は不織布を一重又は二重以上に折り重ねた構造をしている。外皮100は、足に着用可能な形状であるが、足より小さい。
【００２１】
外皮100は、足の各部に対応するように、足裏部Ａ、足指部Ｂ、足首部Ｃ及び足の甲部Ｄを有している。足裏部Ａには、足先用孔20及びかかと用孔30が形成されている。足指部Ｂには、足指を挿入する５つの足指着用部40が形成されている。各足指着用部40の先端には、各足指の先端部が露出するように、足指用孔45が設けられている。外皮100の足先用孔20、かかと用孔30及び足指用孔45の縁は、ほどけたりしないように、オーバーロック等の方法で仕上げ処理されている。
【００２２】
足首固定手段150は、外皮100を足首に固定させるものであり、外皮100の足首部Ｃが足首に極めて良好に密着するように、高弾力性のものを用い、特にスパンデックス、天然ゴム又は合成ゴム等からなるものを用いることができる。固定手段150は、弾性バンド、又は弾力性のある紐から作ることができる。弾性バンドは、外皮100の足首部Ｃに縫合又は接着することができる。弾力性のある紐を使用する場合、外皮100の足首部Ｃの端部に１本以上の弾力性のある紐を挿入した後で端部を折り畳み、縫合することができる。図３の足首固定手段150は、弾力性のある紐を使用したものであり、参照符号Ｓは縫合線を示す。
【００２３】
図４に示すように、立っているときや迅速な方向転換をするときに、床面に接触して体重を床面に直接伝達する足裏の部分は、一般に足裏の前部20’、足裏の後部30’及び足指の底部45’である。
【００２４】
上記したように、本発明の第一の実施例では、床面に接触して体重を床面に伝達する足裏部、すなわち足裏の前部20’、足裏の後部30’及び足指の底部45’が露出するように、外皮100に各部に対応する孔が設けられている。具体的には、足裏の前部20’は足先用孔20から露出し、足裏の後部30’はかかと用孔30から露出し、足指の底部45’は足指用孔45から露出する。
【００２５】
外皮100は、足を保護するとともに、その弾力性により極めて良好に足に密着し、かつ軽量であるため、素足と同じような着用感を有する。また、足先用孔20、かかと用孔30、及び足指用孔45から露出して床面に当接する足裏部が露出しているため、これら露出した足裏部が滑りを防止する役割を果たす。
【００２６】
５本の足指が足指着用部40にそれぞれ挿入されるので、足指を自由に動かすことができる。また足指の底部45’が露出するため、滑りを防止することができて、高度な瞬発力が得られる。また足指着用部40がその弾力性により足指に密着するため、足指をくじく等の負傷を防止できる。外皮100が足に対して回転するのを防止するように足指が足指着用部40に挿入されているので、足裏の前部20’及び後部30’が対応する足先用孔20及びかかと用孔30からずれるのを防止できる。
【００２７】
図５は、本発明の第二の実施例による足保護具の分解斜視図である。第二の実施例では、外皮100は、甲部分Ｄを形成する上部外皮100-1と、足裏部Ａを形成する下部外皮100-2とを有する。上下部外皮100-1及び100-2の縫合により外皮100を構成する。上部外皮100-1及び下部外皮100-2は、足指部Ｂに対応した位置にそれぞれ切欠部46-1、46-2を有している。下部外皮100-2には、足先用孔20及びかかと用孔30が形成されている。したがって、上下部外皮100-1及び100-2が結合して外皮100を構成し、切欠部46-1及び46-2が結合して足指着用部40を形成する。
【００２８】
上述したように、上部外皮100-1と下部外皮100-2とを個別に作製し、それらを結合して外皮100を構成すると、上部外皮100-1と下部外皮100-2とが一体に構成される場合と比べて、足指着用部40の作製が容易である。また弾力性のある汎用の布等を利用して容易に作製することができる。
【００２９】
図６は本発明の第三の実施例による足の保護具の斜視図であり、図７は図６の足の保護具を足に着用した状態を示す使用状態図であり、本発明の最善の実施例を示す。
【００３０】
第三の実施例では、外皮100に足の甲を保護するカバー200が固着されている。足の甲の保護カバー200は、選手の足の甲の保護を強化するためのものであり、少なくとも外皮100の足の甲部Ｄを覆うことができる大きさを有する。
【００３１】
外皮100の足首部Ｃには、足首の保護を補強するための足首保護カバー400が連結している。足の甲の保護カバー200と足首保護カバー400の両方が外皮100に連結しているのが好ましい。足の甲の保護カバー200と足首保護カバー400は、若干の距離をもって位置しているのが好ましい。すなわち、保護カバー200及び400が外皮100の折り畳み部Ｅ以外の場所に設けられているのが好ましい。
【００３２】
足の甲の保護カバー200及び足首保護カバー400は、外皮100の外面又は内側に固着しており、外皮100が二層以上からなる場合、外皮間に挿入してもよい。図６に示す足の保護具では、足の甲の保護カバー200及び足首保護カバー400は、外皮100の外面に固着している。
【００３３】
図６に示すように、足首保護カバー400は、結合部420と、結合部420から延びたフラップ部440とを有するのが好ましい。この場合、結合部420は外皮100に固定されているが、フラップ部440は外皮100に固定されていない。したがって、フラップ部440は外皮100に対して自由に動け、折れ目430に沿って折り畳むことができる。フラップ部440は、足の甲部Ｄと足首部Ｃとの間の折り畳み部Ｅを被覆しているため、関節の動きを妨害せずに、足の甲と足首間の折り畳み部分を保護する。具体的には、足首保護カバー400の結合部420は、足首部Ｃを被覆して足首を保護し、フラップ部440は、折り畳み部Ｅを被覆して足の甲及び足首の関節を保護する。フラップ部440は外皮100に固定されていないので、折り畳み部Ｅをスムーズに折り畳むことができる。
【００３４】
足の甲の保護カバー200及び足首保護カバー400に、商標、製品情報等を示すラベルＬを取り付けることができる。図７の足の保護具では、足首保護カバー400の結合部420の表面にラベルＬが取り付けられている。
【００３５】
保護カバー200及び400は、天然又は人造皮革、布、又は合成樹脂製シートからなる。軽いながらも若干のクッション機能を有する合成樹脂製シートを用いるのが好ましい。保護カバー200及び400は、二つ折り又は複数折りの構造を有する一つ又は複数の皮革、布又は合成樹脂から製造することができる。さらに、保護カバー200及び400は、外皮100に縫合又は接着することができる。保護カバー200及び400の中央領域を除いた周縁部分のみを外皮100に裁縫するのが好ましく、それにより外皮100の弾力性の低下を防止できる。
【００３６】
図６は、本発明に用いる足首固定手段150の好ましい例を示す。図６に示すように、この足首固定手段150は、足首部Ｃの端部に結合した弾性バンド152と、弾性バンド152の両側に形成された締結手段154とからなる。弾性バンド152は、弾力性を有するバンド形態であれば特に限定されない。締結手段154としては、着脱自在のテープ、マジックテープ（登録商標）（ベルクロ（登録商標））等を用いることができる。中でも結合力に優れ、かつ着脱が簡便なマジックテープ（登録商標）を用いるのが好ましい。図６の例では、締結手段154としてマジックテープ（登録商標）を用いている。このように足首固定手段150が弾性バンド152と締結手段154とからなる場合、足首部Ｃに切欠部60を設けるのが好ましい。切欠部60により、開口部10を拡張させて足の出入を容易にすることができる。
【００３７】
図８は本発明の第四の実施例による足の保護具を示す断面図である。第四の実施例では、保護カバー200及び400を外皮100の外面に固着した場合、外皮100と保護カバー200及び400との間に緩衝層300を備えることができる。緩衝層300は大きな衝撃に対して足を保護するもので、衝撃を吸収できるものであれば何でも使用可能である。緩衝層300は、耐衝撃性が大きく、軽いながらも衝撃吸収性能に優れた材質により形成することができる。具体的には、緩衝層300用の素材としては、綿、柔軟布、圧縮スポンジ、圧縮綿布、布を細かく切断してシート状に加工したもの等が挙げられる。
【００３８】
足の甲の保護カバー200及び足首保護カバー400が複数の折り目を有する場合、各部に緩衝層300を挿入することができる。図８に示す例では、足首保護カバー400は二つ折り構造を有し、各部に緩衝層300が挿入されている。さらに緩衝層300には、通気性を有するように、空気孔310（図10参照）を設けても良い。保護カバー200及び400にも空気孔を形成することができる。一方、緩衝層300及び保護カバー200及び400に空気孔を設けるとき、緩衝層300の空気孔と保護カバー200及び400の空気孔とが連通して、空気の出入が円滑になるように、各空気孔が整合しているのが好ましい。
【００３９】
図９は、本発明の第五の実施例による足の保護具の前部を示す拡大斜視図である。第五の実施例では、足指着用部40は外皮100と異なる材質からなる。足指着用部40は、外皮100より高弾力性の材質からなるのが好ましい。特に隣合う足指着用部40の間に設けられた側面42には、外皮100とは別の弾性材が備えられている。側面42の材質は、外皮100より柔軟かつ高弾性である。この場合、側面42は、足指が挿入される足指着用部40の一部であり、具体的には、親指と人差し指の間、人差し指と中指の間、中指と薬指の間、及び薬指と小指の間である。
【００４０】
上記のように足指着用部40を構成することにより、外皮100が足に極めて良好に密着しつつ足指の動きがより自由になるため、瞬発力をさらに向上させることができる。足指と足指との間には汗が多く発生するので、足指着用部40は吸収力に優れた材質からなるのがより好ましい。
【００４１】
図10は、本発明の第六の実施例による足の保護具の分解斜視図である。第六の実施例では、足の甲の保護カバー200は、足指部Ｂまで延在しており、さらに足首部Ｃまで延在している。詳述すると、保護カバー200は、外皮の足の甲部Ｄを覆う甲部Ｄ’に相当する大きさを有し、甲部Ｄ’に足指部Ｂ’及び足首部Ｃ’が連結しているか、足の甲部Ｄ’、足指部Ｂ’及び足首部Ｃ’の全てを覆う大きさである。このように足の甲の保護カバー200が足首部Ｃ’まで延在する場合、固定バンド250は保護カバー200の足首部Ｃ’に結合される。
【００４２】
固定バンド250は、保護カバー200を足首にしっかり固定するものであり、弾性バンドからなるのが好ましい。固定バンド250は以下の方法により固定される。まず保護カバー200の足首部Ｃ’の端部を内側に折り畳み、そこに形成された空間に固定バンド250を通した後、縫合される。図10に示す参照符号Ｓは縫合線である。
【００４３】
固定バンド250には、足首を取り囲んだ状態で締結できるように、両端部に締結手段255が設けられている。締結手段255としては、着脱自在なテープ、マジックテープ（登録商標）等を用いることができるが、マジックテープ（登録商標）が好ましい。図10は締結手段255としてマジックテープ（登録商標）を用いた例を示す。図10は、外皮100と保護カバー200との間に空気孔310を有する緩衝層300が介在している状態を示す。
【産業上の利用可能性】
【００４４】
本発明の足保護具は、足を保護するとともに、その弾力性により極めて良好に足に密着し、かつ軽量であるために素足と同じような着用感を有する。さらに、足先用孔20、かかと用孔30及び足指用孔45から足裏部が露出するため、床面に対する滑りを防止できる。特に足指が露出するため、足指の動きが自由であり、高度な瞬発力が得られる。弾力性のある足指着用部40がその弾力性により足指に密着しているため、足指をくじく等の負傷を防止できる。さらに保護カバー200，400及び緩衝層300を備えることにより、大きな衝撃に対しても着用者の足を十分に保護することができる。
【００４５】
従って、本発明の足保護具は、テコンドー等の格闘技の練習及び競技用に非常に有用である。
【００４６】
さらに、足保護具は、素足で室内競技をする場合に競技者の足を保護するために使用することができる。特に足保護具が外皮だけからなる場合、エアロビクス、床運動、機械体操等で足を保護するのに使用することができる。
【図面の簡単な説明】
【００４７】
【図１】従来の保護用テコンドーシューズを示す斜視図である。
【図２】従来の足の甲の保護具を示す斜視図である。
【図３】本発明の第一の実施例による足の保護具、及びこれを履く足の裏を示す斜視図である。
【図４】図３の足の保護具が足に着用された状態を示す使用状態図である。
【図５】本発明の第二の実施例による足の保護具を示す分解斜視図である。
【図６】本発明の第三の実施例による足の保護具を示す斜視図である。
【図７】図６の足の保護具が足に着用された状態を示す使用状態図である。
【図８】本発明の第四の実施例による足の保護具を示す断面図である。
【図９】本発明の第五の実施例による足の保護具の前部を示す拡大斜視図である。
【図１０】本発明の第六の実施例による足の保護具を示す分解斜視図である。
【図１】
2007528233.tif 000003
【図２】
2007528233.tif 000004
【図３】
2007528233.tif 000005
【図４】
2007528233.tif 000006
【図５】
2007528233.tif 000007
【図６】
2007528233.tif 000008
【図７】
2007528233.tif 000009
【図８】
2007528233.tif 000010
【図９】
2007528233.tif 000011
【図１０】
2007528233.tif 000012
【国際調査報告】
2007528233.tif 000013